(57)【特許請求の範囲】
【請求項１】
載置台主体の下面両側部に弾性を有する金属線をＵ字状に屈曲して前後に脚片を一体に形成してなる脚部材を配設し、これらの脚部材の前後脚片の上端部を載置台主体の下面両側部に設けた前後一対の支持孔にそれぞれ折り畳み自在に枢着してなる載置台であって、上記脚部材の前後脚片はその上端部に、載置台主体の長さ方向に直角に屈曲してなる係止杆部と、この係止杆部から載置台主体の内方に向かって該載置台主体の幅方向に直角に屈曲してなる軸杆部とを形成して該軸杆部を上記支持孔に回動自在に挿通支持させてあり、さらに、載置台主体の下面における各支持孔の外側に隣接して、上記脚部材の係止杆部を摺接させながら該係止杆部を軸杆部の屈曲方向と反対方向に移動させる平面凸円弧状の湾曲面を有する湾曲ガイド部と、この湾曲ガイド部から上方に向かってＣ字状に屈曲して上記係止杆部を係脱させる係合凹部とからなる係合部材を載置台主体に一体的に固着していることを特徴とする載置台。
【請求項２】
載置台主体は平面矩形状の金属製周枠部の対向辺間に複数本の金属線を並設、固着してなり、最前部と最後部の金属線の両側端部に上記支持孔と係合部材とを一体的に設けてなることを特徴とする請求項１記載の載置台。
【請求項３】
支持孔は上記最前部と最後部の金属線の両側端部を下方に向かってＵ字状に屈曲させることにより形成されたものであることを特徴とする請求項１又は請求項２記載の載置台。
【発明の詳細な説明】
【０００１】
【発明の属する技術分野】
本発明は、キッチンキャビネットや食器棚などの中に設置して食器や調理用具などを整理したり、出窓やベランダなどに設置して小物や植木などを載置する載置台に関するものであり、使用しない時や販売、輸送時には脚部を折り畳んでコンパクトにして取り扱うことができる載置台に関するものである。
【０００２】
【従来の技術】
従来から、この種の載置台は、図８および図９に示すように複数本の金属線を縦横に組込んでなる載置台主体10と、弾性を有する金属線をＵ字状に屈曲して前後脚片21、21に形成してなる左右一対の脚部材20、20とからなり、これらの左右脚部材20、20を載置台主体10の両側端部に折り畳み自在に枢着してなる構造のものが知られている。そして、このような載置台において、載置台主体10に左右の脚部材20、20の前後脚片21、21を折り畳み自在に枢着した枢着構造としては、載置台主体10の前後外縁辺に、全長に亘って水平係合溝12を設けていると共に該係合溝12の両側端に支持孔13、13を穿設してなる枠部材11を固着する一方、脚部材20の前後脚片21、21の先端部に、載置台主体10の長さ方向に直角に屈曲してなる係止杆部22と、この係止杆部22から載置台主体10の内方に向かって該載置台主体10の幅方向に直角に屈曲してなる軸杆部23とを形成し、この脚部材20の前後脚片21、21の軸杆部23を上記前後枠部材11、11の支持孔13、13に回動自在に枢支させた構造を採用している。
【０００３】
従って、左右脚部材20、20を立脚させた状態においては、該脚部材20の前後脚片21における上記係止杆部22が載置台主体10の枠部材11の水平係合溝12内に嵌入係止して左右脚部材20が不測に折り畳まれるのを阻止した状態を維持してあり、折り畳む際には、脚部材20の前後脚片21、21を互いに離間する方向に拡開させて係止杆部22、22を水平係合溝12から外したのち枠部材11の下面に沿って折り畳んでいる。又、この状態から左右脚部材20、20を立脚させる方向に支持孔13を中心として回動させると、脚部材20の前後脚片21、21の弾性復元力によって係止杆部22が枠部材11の水平係合溝12に嵌まり込み、上述したように立脚状態に維持させることができる。
【０００４】
【発明が解決しようとする課題】
しかしながら、上記のような載置台においては、折り畳んだ際に、左右脚部材20、20の前後脚片21、21における上記係止杆部22、22が載置台主体10の前後枠部材11、11の外面上にはみ出た状態となり、販売時等において梱包する際に、はみ出た係止杆部22、22が円滑な梱包の妨げとなり、梱包を傷めたり、あるいは係止杆部自体が輸送や陳列棚に展示している際に衝撃などで傷ついてしまい易いという問題があった。
【０００５】
さらに、係止杆部22、22を前後枠部材11、11上に受止させた状態にすると、脚部材20の前後脚片21、21間がその弾力に抗して拡げられた状態を維持するので、長時間その状態にしておくと前後脚片21、21の弾性復元力が弱まり易く、脚部材20を起立させたときに、枠部材11の水平係合溝12に対する係止杆部22片が十分嵌入されずに不安定になってしまうことがあるという問題があった。
【０００６】
本発明は、このような従来の載置台の問題点に鑑みてなされたものであり、脚部材を折り畳んだ状態にした場合においても、係止杆部が載置台本体から突出することがなく、梱包時や陳列あるいは輸送時に脚部材が邪魔になったりあるいは傷つけたりすることがなく、しかも脚部材を立て起こして立脚させる際には、脚部材の立脚がスムーズに行えるとともに、脚部材の各脚片の弾性による復元力が低下しないで安定して支持できるようにした載置台を提供するものである。
【０００７】
【課題を解決するための手段】
上記目的を達成するために本発明の載置台は、載置台主体の下面両側部に弾性を有する金属線をＵ字状に屈曲して前後に脚片を一体に形成してなる脚部材を配設し、これらの脚部材の前後脚片の上端部を載置台主体の下面両側部に設けた前後一対の支持孔にそれぞれ折り畳み自在に枢着してなる載置台であって、上記脚部材の前後脚片はその上端部に、載置台主体の長さ方向に直角に屈曲してなる係止杆部と、この係止杆部から載置台主体の内方に向かって該載置台主体の幅方向に直角に屈曲してなる軸杆部とを形成して該軸杆部を上記支持孔に回動自在に挿通支持させてあり、さらに、載置台主体の下面における各支持孔の外側に隣接して、上記脚部材の係止杆部を摺接させながら該係止杆部を軸杆部の屈曲方向と反対方向に移動させる平面凸円弧状の湾曲面を有する湾曲ガイド部と、この湾曲ガイド部から上方に向かってＣ字状に屈曲して上記係止杆部を係脱させる係合凹部とをからなる係合部材を載置台主体に一体的に固着していることを特徴とするものである。
【０００８】
上記載置台において、請求項２に係る発明は、載置台主体を平面矩形状の金属製周枠部の対向辺間に複数本の金属線を並設、固着することにより形成し、最前部と最後部の金属線の両側端部に上記支持孔と係合部材とを一体的に設けてなることを特徴とするものであり、請求項３に係る発明は、支持孔を上記最前部と最後部の金属線の両側端部を下方に向かってＵ字状に屈曲させることにより形成したことを特徴としている。
【０００９】
【発明の実施の態様】
本発明の載置台主体は、金属製あるいは樹脂製などから形成したもので、とくに材質や形状は限定されないが、一般には平面矩形状の金属製周枠部の対向辺間に複数本の金属線を並設、固着して形成したものが、強度および生産コストなどから好ましい。
【００１０】
この載置台主体の下面両側部に配される脚部材は、弾性を有する金属線をＵ字状に屈曲して前後に脚片を一体に形成しておくとともに、上記脚部材の前後脚片にはその上端部に、該脚片を立脚した状態において載置台主体の長さ方向に沿って直角に屈曲してなる係止杆部と、この係止杆部から載置台主体の内方に向かって該載置台主体の幅方向に直角に屈曲してなる軸杆部とを形成しておくものである。即ち、脚部材の上端部には各脚片に対して直角に折れ曲がった係止杆部と、この係止杆部から載置台主体の内方に向かって直角に屈曲してなる軸杆部とがＬ字型になって一体に形成されているものである。
【００１１】
また、載置台主体の下面両側部には、上記脚部材の軸杆部を回動自在に挿通支持させる前後一対の支持孔が設けられ、この支持孔に脚部材の各軸杆部を挿通してそれぞれを折り畳み自在に枢着しておくものである。
【００１２】
この支持孔は、金属線を環状またはＵ字型に屈曲させて載置台主体の下面に溶接一体化させたもの、あるいは金属プレートに貫通孔による支持孔を設けておいて載置台主体の下面に溶接一体化させたものなどの溶接によって形成したもの、または、載置台主体を金属製の平面矩形状周枠部とその対向辺間に並設、固着した金属線によって形成しておいて、この載置台主体の金属線の内、最前部と最後部の金属線の両側端部を下方に向かってＵ字状に屈曲させることにより、載置台主体の金属線で連続的に形成したものなどが採用される。
【００１３】
さらに、載置台主体には、各支持孔の外側に隣接して上記脚部材の係止杆部を係脱自在に係止させる係合部材を設けてある。この係合部材は、平面凸円弧状に湾曲し且つ支持孔側の湾曲半部の周面を脚部材の上記係止杆部の摺動ガイド面に形成している湾曲ガイド部と、この湾曲下部の両端から上方に向かってＣ字状に屈曲させて上記係止杆部を係脱自在に係合させる係合凹部とから形成してなり、この係合凹部を載置台主体に一体的に固着している。なお、この係合凹部に脚部材の係止杆部を係合させた時に、該係止杆部が載置台主体の外側に突出しないように、係合凹部が載置台主体の若干内側に位置するように設けられている。
【００１４】
【実施例】
次に、本発明の具体的な実施例を図面に基づいて説明すると、図１は、載置台の脚部材を立て起こして立脚させた状態を示すものであり、図２は、裏に返して脚部材の片側を折り畳んだ状態を示すものである。これらの図において、１は載置台主体であり、平面矩形状の金属製周枠部２の対向辺間に複数本の金属線３を並設、固着して形成されており、左右両側には載置物がずれ落ちるを防止するストッパーが一体に設けられている。上記載置台主体１の最前部と最後部の金属線３、３の両側端部に脚部材４、４の後述する軸杆部９を回動自在に挿入させた支持孔５と係止杆部８を係脱自在に係合部材６とが一体的に設けられている。
【００１５】
脚部材４、４は弾性を有する金属線をＵ字状に屈曲して前後に脚片７、７を一体に形成してなるもので、前後脚片７、７の下端間を連設させて底杆部7aの長さは最前部と最後部の金属線３，３間の幅に略等しく形成している。また、脚部材４、４には、その弾性力によって脚片７、７を互いに内側に閉じようとする力が作用して、脚片７の軸杆部９を支持孔５に積極的に挿入させ且つ、軸杆部９に直角に連なる係止杆部８の内面を支持孔５の湾曲外面に弾性的に当接させている。
【００１６】
上記脚部材４、４の前後脚片７、７は、図５、図６に示すようにその上端部に、該脚片７、７を立脚した状態において載置台主体１の長さ方向に直角に屈曲してなる係止杆部８と、この係止杆部８から載置台主体１の内方に向かって該載置台主体１の幅方向に直角に屈曲してなる軸杆部９とを形成してあり、該軸杆部９を載置台主体１の下面に設けた支持孔５に回動自在に挿通している。支持孔５は、載置台主体１の最前部と最後部の金属線３の両側端部を下方に向かってＵ字状に屈曲させることにより載置台主体１の金属線３と一体に形成されている。
【００１７】
従って、上記脚部材４の脚片７、７は、軸杆部９を中心にして内側に折り畳み自在に構成されており、脚片７を折り畳んだ状態では、図３に載置台下面側から見た図で示すように、脚片７、７が折り畳まれて載置台主体１の前後下面に沿って平行に重なるように位置する。又、この状態においては、脚片上端部の係止杆部８が載置台主体の下面に垂直に直立した状態で立設され、該係止杆部８の先端の軸杆部９が支持孔５に挿通して支持させてある。このように脚片７を折り畳んだ状態では、図４に示すように脚片７が載置台主体１の金属製周枠部２の内側にあって、金属線の弾性力によって支持孔５に軸杆部９を挿通圧着して折り畳まれるものである。
【００１８】
さらに、載置台主体１の下面には、図３に示すように各支持孔５の外側に隣接して上記脚部材４の脚片７の先端部側に形成した係止杆部８を係脱自在に係止させる係合部材６を設けてある。この係合部材６は、平面凸円弧状に湾曲し且つ支持孔側の湾曲半部の周面を脚部材４の上記係止杆部８の摺動ガイド面に形成している湾曲ガイド部6aと、この湾曲ガイド部6aの両端から上方に向かって該湾曲ガイド部6aに平行方向にＣ字状に屈曲させて上記係止杆部８を係脱自在に係合させる係合凹部6bに形成し、この係合係合凹部6bの上端部6cを載置台主体１の下面に溶接等によって一体的に固着している。
【００１９】
従って、脚部材４を図５〜図７に示す折り畳み状態から支持孔５に挿入した軸杆部９を回動中心として起立させていくと、脚片７の係止杆部８が係合部材６の湾曲ガイド部6aの湾曲面に摺接しながら図７(b) に示すように、該湾曲面によって両脚片７、７が拡開方向の弾性力に抗して前後方向に拡開させられ、係止杆部８が湾曲ガイド部6aの先端を通過すると、その弾性力によって図７(c) および図５、図６の破線で示すに係合凹部6bに嵌入するものである。また、この係合部材６は、載置台主体１の金属製周枠部２の内側に溶接一体化して設けられており、脚片７を折り畳んだ状態では脚片７の外側に位置しているので、脚片７を不要に押し広げることがなく、又、脚片の弾性による復元力を低下させることがなく、脚片同士を平行状態にして折り畳んでおくことが出来るものである。
【００２０】
上記のよう脚部材４の脚片７、７を起立させて係止杆部８を係合凹部6bに嵌入係止させると、脚片７、７がその折り畳み方向に回動するのを湾曲ガイド部6aによって阻止された状態となり、不測に折り畳まれることがなく立脚させておくことができる。また、折り畳む際には、脚部材４の前後脚片７、７をその弾性力に抗して互いに離間する方向に拡開させて係止杆部８、８を係合部材６の湾曲ガイド部6aから外したのち、支持孔５に挿入している軸杆部９を中心として傾倒させれば、係止杆部８が湾曲ガイド部6aから離脱したのちにおいては前後脚片７、７がその弾性力によって互いの間隔を載置台主体１の幅寸法よりも収縮させた状態となり、この状態で載置台主体１の下面に重ね合わせることができる。
【００２１】
【発明の効果】
以上のように本発明によれば、載置台主体の下面両側部に弾性を有する金属線をＵ字状に屈曲して前後に脚片を一体に形成してなる脚部材を配設し、これらの脚部材の前後脚片の上端部を載置台主体の下面両側部に設けた前後一対の支持孔にそれぞれ折り畳み自在に枢着してなる載置台であって、上記脚部材の前後脚片はその上端部に、載置台主体の長さ方向に直角に屈曲してなる係止杆部と、この係止杆部から載置台主体の内方に向かって該載置台主体の幅方向に直角に屈曲してなる軸杆部とを形成して該軸杆部を上記支持孔に回動自在に挿通支持させてあり、さらに、載置台主体の下面における各支持孔の外側に隣接して、上記脚部材の係止杆部を摺接させながら該係止杆部を軸杆部の屈曲方向と反対方向に移動させる平面凸円弧状の湾曲面を有する湾曲ガイド部と、この湾曲ガイド部から上方に向かってＣ字状に屈曲して上記係止杆部を係脱させる係合凹部とをからなる係合部材を載置台主体に一体的に固着していることを特徴とするものであるから、脚部材を折り畳んだ状態では、前後脚片が載置台主体の下面に重なり合った状態となって載置台本体から突出することがなく、梱包時や陳列あるいは輸送時に脚部材が邪魔になったりあるいは傷つけたりすることがないものである。
【００２２】
また、係合部材の湾曲ガイド部に脚片の上記係止杆部の摺動ガイド面を形成しているので、上記脚部材を立て起こして立脚させる際には、係止杆部が上記湾曲ガイド部のガイド面に沿って摺動して前後脚片を載置台主体の幅方向に自然と且つ円滑に拡開させることができると共に係止杆部が湾曲ガイド部の先端を通過した時には、前後脚片の弾性力によって自動的に係合凹部に嵌入して簡単に立脚させることができ、しかも、立脚後は係止杆部が湾曲ガイド部によって不測に係合凹部から抜け出るのを阻止され、脚部材を安定した状態で立脚させておくことができるものである。
【００２３】
また、載置台主体を平面矩形状の金属製周枠部の対向辺間に複数本の金属線を並設、固着して形成し、この最前部と最後部の金属線の両側端部に上記支持孔と係合部材とを一体的に設けておくことで、製造コストを小さくして安価に提供できるとともに、支持孔と係合部材を同一金属線に並べて設けておくことにより、脚片の回動による係止杆部の摺接移動および係合部材の係合凹所への嵌入がスムーズに行えるという利点を有する。
【００２４】
さらに、上記支持孔を載置台主体の最前部と最後部の金属線の両側端部を下方に向かってＵ字状に屈曲させることによって形成しておくことで、簡単な構造でかつ当接作業などを少なくして一層安価に提供できるという利点を有するものである。
【図面の簡単な説明】
【図１】本発明の載置台を示す全体斜視図。
【図２】図１の載置台の片側脚部材を折り畳んだ状態の下面側から見た全体斜視図。
【図３】図１の載置台の脚部材を折り畳んだ状態の下面側から見た部分拡大斜視図。
【図４】図３の部分拡大側面図。
【図５】図１の載置台の脚部材を折り畳んだ状態の下面側から見た部分拡大正面図。
【図６】図１の載置台の脚部材を折り畳んだ状態の部分拡大側面図。
【図７】図１の載置台の脚部材を折り畳んだ状態から立て起こす状態を説明する斜視図。
【図８】従来の載置台の脚部材を折り畳んだ状態を説明する部分斜視図。
【図９】従来の載置台の脚部材を立て起こした状態を説明する部分側面図。
【符号の説明】
１    載置台主体
２    金属製周枠部
３    金属線
４    脚部材
５    支持孔
６    係合部材
６ａ  湾曲下部
６ｂ  係合凹所
６ｃ  湾曲上部
７    脚片
８    係止杆部
９    軸杆部
【図１】
0003736908.tif 000002
【図２】
0003736908.tif 000003
【図３】
0003736908.tif 000004
【図４】
0003736908.tif 000005
【図５】
0003736908.tif 000006
【図６】
0003736908.tif 000007
【図７】
0003736908.tif 000008
【図８】
0003736908.tif 000009
【図９】
0003736908.tif 000010